(57)【要約】【課題】  ＴＤＤ  ＨＣＲ／ＬＣＲにおいてＱＰＳＫ復調を行うとき、簡単な演算を利用してソフト出力を抽出することで、復調演算過程を単純化することができるし、チャンネル復号性能を向上し得る３Ｇ  ＴＤＤシステムにおけるソフト出力のためのＱＰＳＫ復調方法及びその装置を提供しようとする。【解決手段】  受信シンボルの星座図上の位置を算出する過程と、算出されたＩ（ｉｎ−ｐｈａｓｅ）成分値とＱ（ｑｕａｄｒａｔｕｒｅ）成分値間の差値を受信シンボルのＩ成分のソフト出力として生成し、Ｉ成分値とＱ成分値との合算値を前記受信シンボルのＱ成分のソフト出力として生成する過程と、を順次行うことで３Ｇ  ＴＤＤシステムにおけるソフト出力のためのＱＰＳＫ復調を行う。【選択図】  図１
2004343752.tif 000002
【特許請求の範囲】
【請求項１】
受信シンボルの星座図上の位置を算出する過程と、
算出されたＩ（ｉｎ−ｐｈａｓｅ）成分値とＱ（ｑｕａｄｒａｔｕｒｅ）成分値間の差値を受信シンボルのＩ成分のソフト出力として生成し、Ｉ成分値とＱ成分値との合算値を前記受信シンボルのＱ成分のソフト出力として生成する過程と、
を順次行うことを特徴とする３Ｇ  ＴＤＤシステムにおけるソフト出力のためのＱＰＳＫ復調方法。
【請求項２】
前記ソフト出力からのビットデータの復元は、ＢＰＳＫ（Ｂｉ−Ｐｈａｓｅ  Ｓｈｉｆｔ  Ｋｅｙｉｎｇ）復調方法により行われることを特徴とする請求項１記載の３Ｇ  ＴＤＤシステムにおけるソフト出力のためのＱＰＳＫ復調方法。
【請求項３】
前記ソフト出力が１に近い値であると、「０」ビットデータのソフト出力として判断し、前記ソフト出力が−１に近い値であると、「１」ビットデータのソフト出力として判断することを特徴とする請求項１記載の３Ｇ  ＴＤＤシステムにおけるソフト出力のためのＱＰＳＫ復調方法。
【請求項４】
前記算出されたＩ成分値及びＱ成分値は、それぞれ固定されたポイント（ｆｉｘｅｄ  ｐｏｉｎｔ）値であることを特徴とする請求項１記載の３Ｇ  ＴＤＤシステムにおけるソフト出力のためのＱＰＳＫ復調方法。
【請求項５】
前記ソフト出力は、固定されたポイント値であることを特徴とする請求項４記載の３Ｇ  ＴＤＤシステムにおけるソフト出力のためのＱＰＳＫ復調方法。
【請求項６】
受信シンボルの星座図上の位置を算出する過程と、
前記算出されたシンボルの位置を移相する過程と、
前記移相されたシンボルの位置を計算する過程と、
前記計算されたシンボルの位置の振幅を補償する過程と、
を順次行うことを特徴とする３Ｇ  ＴＤＤシステムにおけるソフト出力のためのＱＰＳＫ復調方法。
【請求項７】
前記移相は、時計方向に４５゜角度だけ行われることを特徴とする請求項６記載の３Ｇ  ＴＤＤシステムにおけるソフト出力のためのＱＰＳＫ復調方法。
【請求項８】
前記振幅の補償は、全ての受信シンボルに対して行われることを特徴とする請求項６記載の３Ｇ  ＴＤＤシステムにおけるソフト出力のためのＱＰＳＫ復調方法。
【請求項９】
前記振幅の補償は、
【数１】
2004343752.tif 000011
を利用してスケーリング（ｓｃａｌｉｎｇ）を行うことであることを特徴とする請求項８記載の３Ｇ  ＴＤＤシステムにおけるソフト出力のためのＱＰＳＫ復調方法。
【請求項１０】
前記振幅が補償されたシンボルの位置のＩ成分のソフト出力が１に近い値であると、「０」ビットデータのソフト出力として判断し、
前記振幅が補償されたシンボルの位置のＱ成分のソフト出力が−１に近い値であると、「１」ビットデータのソフト出力として判断することを特徴とする請求項６記載の３Ｇ  ＴＤＤシステムにおけるソフト出力のためのＱＰＳＫ復調方法。
【請求項１１】
受信シンボルの星座図上の位置を算出する第１ディバイスと、
算出されたＩ成分値とＱ成分値間の差値を前記受信シンボルのＩ成分のソフト出力として生成し、Ｉ成分値とＱ成分値との合算値を前記受信シンボルのＱ成分のソフト出力として生成する第２ディバイスと、
を含んで構成されることを特徴とする３Ｇ  ＴＤＤシステムにおけるソフト出力のためのＱＰＳＫ復調装置。
【請求項１２】
前記ソフト出力が１に近い値であると、「０」ビットデータのソフト出力として判断し、前記ソフト出力が−１に近い値であると、「１」ビットデータのソフト出力として判断することを特徴とする請求項１１記載の３Ｇ  ＴＤＤシステムにおけるソフト出力のためのＱＰＳＫ復調装置。
【請求項１３】
前記算出されたＩ成分値及びＱ成分値は、それぞれ固定されたポイント値であることを特徴とする請求項１１記載の３Ｇ  ＴＤＤシステムにおけるソフト出力のためのＱＰＳＫ復調装置。
【請求項１４】
前記ソフト出力は、固定されたポイント値であることを特徴とする請求項１３記載の３Ｇ  ＴＤＤシステムにおけるソフト出力のためのＱＰＳＫ復調装置。
【発明の詳細な説明】
【技術分野】
【０００１】
本発明は、３Ｇ  ＴＤＤ（３  Ｇｅｎｅｒａｔｉｏｎ  Ｔｉｍｅ  Ｄｉｖｉｓｉｏｎ  Ｄｕｐｌｅｘｉｎｇ）システムのＱＰＳＫ（Ｑｕａｄｒａｔｕｒｅ  Ｐｈａｓｅ  Ｓｈｉｆｔ  Ｋｅｙｉｎｇ）変調に係るもので、詳しくは、ソフト出力のためのＱＰＳＫ復調方法及びその装置に関するものである。
【背景技術】
【０００２】
一般に、３Ｇ  ＴＤＤ  ＨＣＲ（Ｈｉｇｈ  Ｃｈｉｐ  Ｒａｔｅ）／ＬＣＲ（Ｌｏｗ  Ｃｈｉｐ  Ｒａｔｅ）システムにおいては、主に、ＱＰＳＫ変調方式を用いて信号を伝送する。
【０００３】
以下、主に３Ｇ  ＴＤＤ  ＨＣＲ／ＬＣＲシステムに用いられるＱＰＳＫ変調について説明する。
【０００４】
物理チャンネルマッピング過程を経て生成されたビットデータがＱＰＳＫ方式により変調される場合、２ビットが一つのＱＰＳＫシンボルにマッピングされる。
【０００５】
ＴＤＤ  ＨＣＲ／ＬＣＲに用いられる各ユーザバースト（変調されたシンボル）は、二つのデータ部分（ｉ＝１，２）により構成され、数式１のようなデータブロックに表現することができる。
【０００６】
【数２】
2004343752.tif 000003
ｉ＝１，２；ｋ＝１，．．．，Ｋｃｏｄｅ
３Ｇ  ＴＤＤに用いられる無線フレームは、二つのサブフレームにより構成され、一つのサブフレームは、複数個のタイムスロットにより構成され、一番目のタイムスロットは、二つのデータフィールドとそれら二つのデータフィールド間に位置したミッドアンブル（ｍｉｄａｍｂｌｅ；トレーニングシーケンスの役割）フィールドとから構成される。前記Ｋｃｏｄｅは、タイムスロット当たり用いられたコードの個数を示し、最大のＫｃｏｄｅ値は、１６に設定することができる。また、前記Ｎｋは、コードｋのデータフィールド当たりのシンボルの個数を示し、この個数はスプレッディングファクター（ｓｐｒｅａｄｉｎｇ  ｆａｃｔｏｒ）と関連がある。また、データブロック
【０００７】
【数３】
2004343752.tif 000004
は、ミッドアンブルの前に位置し、データブロック
【０００８】
【数４】
2004343752.tif 000005
は、ミッドアンブルの後に位置する。ＱＰＳＫ変調の場合、各シンボル
【０００９】
【数５】
2004343752.tif 000006
は、物理チャンネルマッピング過程を経て生成された二つのビットのデータから生成される。
【００１０】
図６は、ビットデータがＱＰＳＫシンボルにマッピングされる方法を示した表で、図示されたように、例えば、００ビットパターンは、＋ｊシンボルにマッピングされ、０１ビットパターンは、＋１にマッピングされる。
【００１１】
図７は、ＴＤＤ  ＨＣＲ／ＬＣＲに用いられるＱＰＳＫシンボル星座図（ｓｙｍｂｏｌ  ｃｏｎｓｔｅｌｌａｔｉｏｎ）で、例えば、＋ｊシンボルにマッピングされた００ビットデータは、星座図で（０，１）の位置の虚数（Ｉｍａｇｉｎａｒｙ；Ｉｍ）軸上に表示され、＋１にマッピングされた０１ビットデータは、（１，０）の位置の実数（Ｒｅａｌ；Ｒｅ）軸上に表示される。
【００１２】
このようなＱＰＳＫ方式により変調されたシンボルが伝送されると、受信部はＱＰＳＫ復調を行う。
【００１３】
ＱＰＳＫ復調方法は、ハードデシジョン（Ｈａｒｄ  Ｄｅｃｉｓｉｏｎ）方法及びソフトデシジョン（Ｓｏｆｔ  Ｄｅｃｉｓｉｏｎ）方法がある。
【００１４】
ハードデシジョン方法は、ＱＰＳＫシンボルの場合、シンボル当たり２ビットに復調するものであって、受信信号と最も近いシンボルを探して、図６の表に基づいて逆変換する方法である。
【００１５】
また、ソフトデシジョン方法は、ソフト出力を生成するものであって、出力として単純な２ビットでなくソフト値を得る方法をいう。即ち、ソフトデシジョンの出力は、システムによって所定数のビットに表現されるが、これは、受信シンボルの特性を最大限に有する数ビットの固定されたポイント（ｆｉｘｅｄ  ｐｏｉｎｔ）の出力をいう。つまり、ソフトデシジョンの出力は、システムによって所定数のビットに表現することができる。
【００１６】
このように復調された出力は、所定過程を経てチャンネルデコーダに入力される。
【００１７】
一般に、チャンネルデコーダは、ハード入力よりもソフト入力の場合に卓越した性能を示す。これは、ハードデシジョンの場合、受信シンボルの特性が損傷されるため、ソフトデシジョンの場合より受信シンボルの特性を少なく有するためである。即ち、ソフト入力は、受信信号の特性を最大限に有するため、チャンネル復号時に有効に用いられ、且つ、一般に用いられる反復復号の場合、ソフト入力の場合に卓越した性能を発揮する。
【００１８】
従って、受信部は、ソフトデシジョン方法を利用して受信信号を復調することが好ましい。即ち、受信部は、チャンネル復号性能を向上するため、ソフト出力を要求する。
【特許文献１】韓国特許出願公開第２００３−２２４８号明細書
【特許文献２】特開２００２−１７１２９７号公報
【特許文献３】特開２００２−１０１１４０号公報
【発明の開示】
【発明が解決しようとする課題】
【００１９】
然るに、ＴＤＤ  ＨＣＲ／ＬＣＲに用いられる図７のようなシンボル星座図の特性上、受信部は直接ソフト出力を抽出することができない。且つ、一般のＭＰＳＫ（Ｍｕｌｔｉｐｌｅ  Ｐｈａｓｅ  Ｓｈｉｆｔ  Ｋｅｙｉｎｇ）復調時、常用される最小シンボル距離方法は、受信シンボルと星座図の全てのシンボル間の各距離を測定して、最短距離のシンボルを利用してソフト出力を生成するため、ソフト出力の生成過程が複雑で、多くの演算過程を処理しなければならないので、ＴＤＤ  ＨＣＲ／ＬＣＲに適用することが容易でないという不都合な点があった。
【００２０】
本発明は、このような従来の課題に鑑みてなされたもので、ＴＤＤ  ＨＣＲ／ＬＣＲにおいてＱＰＳＫ復調を行うとき、簡単な演算を利用してソフト出力を抽出することで、復調演算過程を単純化することができるし、チャンネル復号性能を向上し得る３Ｇ  ＴＤＤシステムにおけるソフト出力のためのＱＰＳＫ復調方法及びその装置を提供することを目的とする。  
【課題を解決するための手段】
【００２１】
このような目的を達成するため、本発明に係る３Ｇ  ＴＤＤシステムにおけるソフト出力のためのＱＰＳＫ復調方法は、受信シンボルの星座図上の位置を算出する過程と、算出されたＩ（ｉｎ−ｐｈａｓｅ）成分値とＱ（ｑｕａｄｒａｔｕｒｅ）成分値間の差値を受信シンボルのＩ成分のソフト出力として生成し、Ｉ成分値とＱ成分値との合算値を前記受信シンボルのＱ成分のソフト出力として生成する過程と、を順次行うことを特徴とする。
【００２２】
また、前記ソフト出力からのビットデータの復元は、ＢＰＳＫ（Ｂｉ−Ｐｈａｓｅ  Ｓｈｉｆｔ  Ｋｅｙｉｎｇ）復調方法により行われることを特徴とする。
【００２３】
また、前記ソフト出力が１に近い値であると、「０」ビットデータのソフト出力として判断し、前記ソフト出力が−１に近い値であると、「１」ビットデータのソフト出力として判断することを特徴とする。
【００２４】
また、前記算出されたＩ成分値及びＱ成分値は、それぞれ固定されたポイント（ｆｉｘｅｄ  ｐｏｉｎｔ）値であることを特徴とする。
【００２５】
また、前記ソフト出力は、固定されたポイント値であることを特徴とする。
【００２６】
そして、本発明に係る３Ｇ  ＴＤＤシステムにおけるソフト出力のためのＱＰＳＫ復調方法は、受信シンボルの星座図上の位置を算出する過程と、前記算出されたシンボルの位置を移相する過程と、前記移相されたシンボルの位置を計算する過程と、前記計算されたシンボルの位置の振幅を補償する過程と、を順次行うことを特徴とする。
【００２７】
また、前記移相は、時計方向に４５゜角度だけ行われ、前記振幅の補償は、全ての受信シンボルに対して
【００２８】
【数６】
2004343752.tif 000007
を利用してスケーリング（ｓｃａｌｉｎｇ）を行うことであることを特徴とする。
【００２９】
また、前記振幅が補償されたシンボルの位置のＩ成分のソフト出力が１に近い値であると、「０」ビットデータのソフト出力として判断し、前記振幅が補償されたシンボルの位置のＱ成分のソフト出力が−１に近い値であると、「１」ビットデータのソフト出力として判断することを特徴とする。
【００３０】
そして、本発明に係る３Ｇ  ＴＤＤシステムにおけるソフト出力のためのＱＰＳＫ復調装置は、受信シンボルの星座図上の位置を算出する第１ディバイスと、算出されたＩ成分値とＱ成分値間の差値を前記受信シンボルのＩ成分のソフト出力として生成し、Ｉ成分値とＱ成分値との合算値を前記受信シンボルのＱ成分のソフト出力として生成する第２ディバイスと、を含んで構成されることを特徴とする。
【００３１】
また、前記ソフト出力が１に近い値であると、「０」ビットデータのソフト出力として判断し、前記ソフト出力が−１に近い値であると、「１」ビットデータのソフト出力として判断することを特徴とする。
【００３２】
本発明により、受信シンボルの星座図上の位置を算出する過程と、算出されたＩ（ｉｎ−ｐｈａｓｅ）成分値とＱ（ｑｕａｄｒａｔｕｒｅ）成分値間の差値を受信シンボルのＩ成分のソフト出力として生成し、Ｉ成分値とＱ成分値との合算値を前記受信シンボルのＱ成分のソフト出力として生成する過程と、を順次行うことを特徴とする３Ｇ  ＴＤＤシステムにおけるソフト出力のためのＱＰＳＫ復調方法が提供され、これにより、上記目的を達成する。
【００３３】
前記ソフト出力からのビットデータの復元は、ＢＰＳＫ（Ｂｉ−Ｐｈａｓｅ  Ｓｈｉｆｔ  Ｋｅｙｉｎｇ）復調方法により行われてもよい。
【００３４】
前記ソフト出力が１に近い値であると、「０」ビットデータのソフト出力として判断し、前記ソフト出力が−１に近い値であると、「１」ビットデータのソフト出力として判断してもよい。
【００３５】
前記算出されたＩ成分値及びＱ成分値は、それぞれ固定されたポイント（ｆｉｘｅｄ  ｐｏｉｎｔ）値であってもよい。
【００３６】
前記ソフト出力は、固定されたポイント値であってもよい。
【００３７】
本発明により、受信シンボルの星座図上の位置を算出する過程と、前記算出されたシンボルの位置を移相する過程と、前記移相されたシンボルの位置を計算する過程と、前記計算されたシンボルの位置の振幅を補償する過程と、を順次行うことを特徴とする３Ｇ  ＴＤＤシステムにおけるソフト出力のためのＱＰＳＫ復調方法が提供され、これにより、上記目的を達成する。
【００３８】
前記移相は、時計方向に４５゜角度だけ行われてもよい。
【００３９】
前記振幅の補償は、全ての受信シンボルに対して行われてもよい。
【００４０】
前記振幅の補償は、
【００４１】
【数７】
2004343752.tif 000008
を利用してスケーリング（ｓｃａｌｉｎｇ）を行うことであってもよい。
【００４２】
前記振幅が補償されたシンボルの位置のＩ成分のソフト出力が１に近い値であると、「０」ビットデータのソフト出力として判断し、前記振幅が補償されたシンボルの位置のＱ成分のソフト出力が−１に近い値であると、「１」ビットデータのソフト出力として判断してもよい。
【００４３】
本発明により、受信シンボルの星座図上の位置を算出する第１ディバイスと、算出されたＩ成分値とＱ成分値間の差値を前記受信シンボルのＩ成分のソフト出力として生成し、Ｉ成分値とＱ成分値との合算値を前記受信シンボルのＱ成分のソフト出力として生成する第２ディバイスと、を含んで構成されることを特徴とする３Ｇ  ＴＤＤシステムにおけるソフト出力のためのＱＰＳＫ復調装置が提供され、これにより、上記目的が達成される。
【００４４】
前記ソフト出力が１に近い値であると、「０」ビットデータのソフト出力として判断し、前記ソフト出力が−１に近い値であると、「１」ビットデータのソフト出力として判断してもよい。
【００４５】
前記算出されたＩ成分値及びＱ成分値は、それぞれ固定されたポイント値であってもよい。
【００４６】
前記ソフト出力は、固定されたポイント値であってもよい。
【発明の効果】
【００４７】
本発明に係る３Ｇ  ＴＤＤシステムにおけるソフト出力のためのＱＰＳＫ復調方法及びその装置においては、３Ｇ  ＴＤＤ  ＨＣＲ／ＬＣＲシステムにおいてＱＰＳＫ変調を用いる場合、受信部が、ソフト出力のためのＱＰＳＫ復調をただ一回の減算及び加算により行うことで、復調の複雑度を減少させて受信機の性能を向上し得るという効果がある。
【発明を実施するための最良の形態】
【００４８】
以下、本発明の実施の形態について、図面に基づいて説明する。
【００４９】
まず、図１は、図７のシンボル星座を時計方向に４５゜回転させた状態を示した星座図で、Ｉ成分及びＱ成分を、図１の実数（Ｒｅ）軸及び虚数（Ｉｍ）軸を基準として直ちに抽出することができることが分かる。
【００５０】
即ち、図２（Ａ）に示したように、虚数（Ｉｍ）軸を基準として、右側（１四分面及び４四分面）に位置したシンボルのＩ成分は「０」の値を有し、左側（２四分面及び３四分面）に位置したシンボルのＩ成分は「１」の値を有する。且つ、図２（Ｂ）に示したように、実数（Ｒｅ）軸を基準として、上側（１四分面及び２四分面）に位置したシンボルのＱ成分は「０」の値を有し、下側に位置したシンボルのＱ成分は「１」の値を有する。
【００５１】
通常、ＢＰＳＫ変調時、「０」は「＋１」に、「１」は「−１」にマッピングされるため、本発明は、図１の星座図に前述したような一般のＢＰＳＫソフト変調方式を適用する。
【００５２】
図３は、本発明に係る３Ｇ  ＴＤＤシステムにおけるソフト出力のためのＱＰＳＫ復調装置の構成を示したブロック図で、図示されたように、本発明に係る３Ｇ  ＴＤＤシステムにおけるソフト出力のためのＱＰＳＫ復調装置は、受信シンボルの星座を所定角度に移相し、該移相された受信シンボルの振幅を補償して受信シンボルのソフト出力を生成するＱＰＳＫ復調器１０と、前記受信シンボルのソフト出力を利用してチャンネル復号を行うチャンネルデコーダ２０と、を含んで構成されている。
【００５３】
以下、このように構成された本発明に係る３Ｇ  ＴＤＤシステムにおけるソフト出力のためのＱＰＳＫ復調装置の動作について説明する。
【００５４】
図４は、本発明に係る３Ｇ  ＴＤＤ  ＨＣＲ／ＬＣＲシステムにおけるソフト出力のためのＱＰＳＫ復調方法の一実施例を示したフローチャートで、図示されたように、ＱＰＳＫ復調器１０は、受信シンボルの星座図上の位置を算出し（Ｓ１０）、該算出されたシンボルの位置を時計方向に４５゜移相する（Ｓ１２）。次いで、前記ＱＰＳＫ復調器１０は、前記移相されたシンボルの位置を計算し（Ｓ１４）、該計算されたＩ’成分及びＱ’成分の振幅を補償する（Ｓ１６）。
【００５５】
例えば、（０，１）の送信シンボルが送信され、何ら雑音がないとすると、受信シンボルの星座図上の位置は（０，１）となり、この受信シンボル（０，１）が時計方向に４５゜移相された位置は、
【００５６】
【数８】
2004343752.tif 000009
となる。このとき、移相により振幅が所定値に減少されたため、減少された値だけ前記Ｉ’及びＱ’成分を補償する。よって、Ｉ’及びＱ’成分にをそれぞれ乗算すると（１，１）となり、ここに、一般のＢＰＳＫシンボルマッピング方法を適用すると、（１，１）は「００」ビットデータに復元される。
【００５７】
前記例は、理解を助けるためにハード出力を挙げた。
【００５８】
一般に、本発明を説明すると次のようである。
【００５９】
受信シンボルの星座図上の位置が（ＲＩ、ＲＱ）の場合、該受信シンボルが時計方向に４５゜移相されると、該移相された受信シンボルの位置は、数式２及び数式３のように示される。
【００６０】
ＲＩＳ＝ＲＩ＊ｃｏｓ（４５）−ＲＱ＊ｓｉｎ（４５）
ＲＱＳ＝ＲＩ＊ｓｉｎ（４５）＋ＲＱ＊ｃｏｓ（４５）
数式２及び数式３のような方法により計算されたソフト出力は、元の受信振幅に復元するためにスケーリングが必要である。これは、ソフト出力が実際の受信振幅より小さくなるためである。よって、前記ＱＰＳＫ復調器１０は、振幅を補償するため、数式２及び数式３にそれぞれ
【００６１】
【数９】
2004343752.tif 000010
を乗算して、数式４のようなＩ成分のソフト出力及び数式５のようなＱ成分のソフト出力を得る。
【００６２】
ＲＩＳ＝ＲＩ−ＲＱ
ＲＱＳ＝ＲＩ＋ＲＱ
ここで、数式４及び数式５から、図５のような方法により受信シンボルのソフト出力を容易に計算できることが分かる。
【００６３】
図５は、本発明に係る３Ｇ  ＴＤＤシステムにおけるソフト出力のためのＱＰＳＫ復調方法の他の実施例を示したフローチャートで、図示されたように、ＱＰＳＫ復調器１０は、受信シンボルのＩ及びＱ成分の座標を計算する（Ｓ２０、Ｓ２２）。次いで、前記ＱＰＳＫ復調器１０は、前記Ｉ成分からＱ成分を減算してＩ成分のソフト出力を生成し、前記Ｉ成分とＱ成分とを加算してＱ成分のソフト出力を生成する（Ｓ２４）。よって、前記ＱＰＳＫ復調器１０は、簡単な演算を通してＱＰＳＫシンボルからソフト出力を容易に得ることができる。
【００６４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
（要約）
本発明は、ＴＤＤ  ＨＣＲ／ＬＣＲにおいてＱＰＳＫ復調を行うとき、簡単な演算を利用してソフト出力を抽出することで、復調演算過程を単純化することができるし、チャンネル復号性能を向上し得る３Ｇ  ＴＤＤシステムにおけるソフト出力のためのＱＰＳＫ復調方法及びその装置を提供しようとする。受信シンボルの星座図上の位置を算出する過程と、算出されたＩ（ｉｎ−ｐｈａｓｅ）成分値とＱ（ｑｕａｄｒａｔｕｒｅ）成分値間の差値を受信シンボルのＩ成分のソフト出力として生成し、Ｉ成分値とＱ成分値との合算値を前記受信シンボルのＱ成分のソフト出力として生成する過程と、を順次行うことで３Ｇ  ＴＤＤシステムにおけるソフト出力のためのＱＰＳＫ復調を行う。
【図面の簡単な説明】
【００６５】
【図１】図１のシンボル星座を時計方向に４５゜回転させた状態を示した星座図である。
【図２Ａ】図２Ａは、移相されたＱＰＳＫシンボル星座図において、虚数（Ｉｍ）軸を基準にシンボルの位置によるシンボルのＩ成分値を示した星座図である。
【図２Ｂ】図２Ｂは、移相されたＱＰＳＫシンボル星座図において、実数（Ｒｅ）軸を基準にシンボルの位置によるシンボルのＱ成分値を示した星座図である。
【図３】本発明に係る３Ｇ  ＴＤＤシステムにおけるソフト出力のためのＱＰＳＫ復調装置の構成を示したブロック図である。
【図４】本発明に係る３Ｇ  ＴＤＤ  ＨＣＲ／ＬＣＲシステムにおけるソフト出力のためのＱＰＳＫ復調方法の一実施例を示したフローチャートである。
【図５】本発明に係る３Ｇ  ＴＤＤ  ＨＣＲ／ＬＣＲシステムにおけるソフト出力のためのＱＰＳＫ復調方法の他の実施例を示したフローチャートである。
【図６】ビットデータがＱＰＳＫシンボルにマッピングされる方法を示した表である。
【図７】ＴＤＤ  ＨＣＲ／ＬＣＲに用いられるＱＰＳＫシンボル星座図である。
【符号の説明】
【００６６】
１０  ＱＰＳＫ復調器
２０  チャンネルデコーダ
【図１】
2004343752.tif 000012
【図２Ａ】
2004343752.tif 000013
【図２Ｂ】
2004343752.tif 000014
【図３】
2004343752.tif 000015
【図４】
2004343752.tif 000016
【図５】
2004343752.tif 000017
【図６】
2004343752.tif 000018
【図７】
2004343752.tif 000019